(57)【要約】      （修正有）【課題】立体効果図画を効果的に明るく輝いて美麗で立体的な画像として表示でき、インテリア、装飾品等や飾り物として今までになかった展示効果を発揮し得る照明付き額縁を提供する。【解決手段】本照明付き額縁は主に額縁前部１と一体的に形成される箱形状筐体および該箱形状筐体の背面にこれと着脱可能な背面板３の二部分からなり、内蔵光源からの光が前面透明板５に直接もしくは反射して間接的に届き十分に明るく立体的な表示画像が得られるよう被照明体の構造および設置方法を選定し構成する。【選択図】図１
0003167788.tif 000002
【実用新案登録請求の範囲】
【請求項１】
額縁前部およびこれと一体的に成る箱形状筐体ならびに該箱形状筐体の背面にこれと着脱可能なように設けられる背面板を主な構成要素とし、該額縁前部の中央部天面にはガラスあるいはアクリルよりなる透明板を、該箱形状筐体の壁面内には光源をそれぞれ設ける額縁筐体内部に、図画、写真や文字等図形を表面に印刷、彫刻もしくは紙等成形品を添着して描かれたガラス、アクリル、スチロールやポリエチレン・フタノール（ＰＥＴ）等透明ないし半透明なフィルムや板を複数枚層状に重ね該額縁前部の中央部天面の該透明板に沿うよう装着し該光源を点灯することにより該図形を照らし出すようにしてなる照明付き額縁。
【請求項２】
請求項１に記載する照明付き額縁において、内部に設けられる図画、写真や文字等図形を表面に印刷、彫刻もしくは紙等成形品を添着して描かれたガラス、アクリル、スチロールやＰＥＴ等透明ないし半透明なフィルムや板を複数枚層状に重ね該額縁前部の中央部天面の該透明板に沿うよう装着する部分を互いに添着もしくは枠に取り付け一体物にし、該背面板の着脱により該額縁内部への収納、排出を可能とした照明付き額縁。
【考案の詳細な説明】
【技術分野】
【０００１】本考案は箱型形状の額縁の縁辺内部に照明装置を持ち、その額縁内部に図画、写真あるいは文字等図形を印刷もしくは添着して描かれた透明板を複数枚層状に設けてなる被照明体を収納しこれを照明して額縁前方から見ると立体的な明るく輝く画像が生成される額縁、写真立て等（以下額縁等）の装置および方式に関するものである。
【背景技術】
【０００２】内蔵の光源で内包する図画、写真あるいは文字等描かれた被照明体図形を照明する額縁は下記文献のように考案され実用化されつつあるが、該被照明体は通常非透明でその前面からフロントライトとして照明しているかもしくは半透明フィルムに印画下画像を背面からバックライトとして照明しておりいずれも立体的な画像の生成は困難である。また、透明なアクリル板やポリエチレン・テレフタレート樹脂（以下ＰＥＴ）フィルム等板の表面に図形を描き複数枚重ねて自然光のもとで立体的に見える効果を持たせたクリスマス・カードや図画（以下立体効果図画という）も普及しつつある。しかし両者を一体化しそれぞれの持つ長所を互いに引き出すようにした額縁や写真立てのような装置は市場には見当たらない。
【実用新案文献】
登録実用新案第３１５８０８８号
【考案の開示】
【０００３】本考案は、額縁筐体壁面の内部に沿って設けられた光源で筐体内部に図画、写真あるいは文字等図形を印刷したり添着したりして描かれた略透明板を複数枚層状に重ね被照明体とした立体効果図画を収納してこれを照明し、額縁前方より見ると立体的に照明された画像が生成される表示効果を現すよう構成されてなる照明付き額縁を提供する。
【考案が解決しようとする課題】
【０００４】従来照明付き額縁ではフロントライト方式では内部に収納する図画、写真や文書等被照明体図形を前面から照明するため該図形を額縁背面の背面板（裏蓋）近傍に配設しておりその前面の空間は照明用光線の通過用に供されている。ここに前述の立体効果図画を設けると該図画は通過光により適宜照明されれば額縁前面から見るとき互いに重なって立体感が向上して現され得る。このために立体効果図画それぞれに側面、前面もしくは背面より最適な照明光路を得るよう全体を構成することが課題となる。なお、バックライト方式は本考案が目ざす立体的な画像の生成には不向きであり今後言及しない。
【課題を解決するための手段】
【０００５】本考案の照明付き額縁は主に額縁前部と一体的に形成される箱形状筐体および該箱形状筐体の背面にこれと着脱可能な背面板の二部分から成り、両者は通常の使用時は互いに密着して一体であるが、被照明体を該筐体内に収納する際両者は分離され該背面板の除去された背面の空間から該被照明体を該箱形状筐体に配設出来、前述のような立体効果図画のような被照明体でも自在に展示配設可能とする。該額縁前部の中央部天面にはガラスあるいはアクリルのような透明板が、該箱形状筐体の少なくとも一つの外周壁面内には光源がそれぞれ設けられ両者が一体となって被照明体の立体効果図画を照明する。被照明体となる立体効果図画は該天面の透明板に沿うように層状に重ねて設けられ光源と直交するため入射光は直接的には主に該立体効果図画の側部端面方向からはいって、該立体効果図画それぞれの前面もしくは背面より照射するだけでなく、該箱形状筐体内の前面のガラス等透明板や筐体壁面および背面板での反射によっても間接的に該立体効果図画の中央までよくはいって照射できる。このためにあらかじめ該立体効果図画の構成要素である複数枚の略透明板の相互間隔を適宜空けたり照明光源との位置や入射角度を調整したりしておく。
【考案の効果】
【０００６】本考案による額縁は該立体効果図画をもっとも効果的に明るく輝いて美麗で立体的な画像として表示でき、インテリア、装飾品等置物や飾り物として今までになかった展示効果を発揮し得る。該立体効果図画を着脱自在とすれば別のものと交換可能となるのみならず、冒頭既述のカード等立体効果図画を本装置にあう寸法で個別装置として標準化することで季節性のある贈り物市場も開拓可能となる。
【実施例】
【０００７】以下、本考案を図１および図２の応用実施例について説明する。図１の左側のＸ−Ｘ線より上半分は本考案による装置の代表例としての照明付き額縁の概略平面図であり、同下半分はＹ−Ｙ側断面図として右側に示される図中のＺ−Ｚ面断面図である。図２は図１内にも示される被照明体である立体効果図画の概略斜視図である。本装置の構造は主に該照明付き額縁の額縁前部（１）、筐体（２）、背面板（３）、該背面板（３）を該筐体（２）に着脱するための留め具（４）、該額縁前面（１）に取り付けられる前面透明板（５）、同飾り縁（６）、該筐体の内部壁面に取り付けられる光源（７）、格子状の枠組（８）、被照明体（９）、前記の構成部品である被照明板（９０）、同じく構成部品である枠（９１）および背面反射面（１０）で構成される。【０００８】該背面板（３）は同図のように該筐体（２）に留め具（４）で着脱でき、通常は該筐体（２）の壁面の背部端面に回転中心を持つヒンジで該筐体（２）の壁面内部に嵌まる外形の該背面板（３）を留めたり外したりして行う。ここに該背面板（３）はその固定位置を該筐体（２）内部の主に格子状枠組（８）と該前面透明板（５）、該飾り縁（６）、および該背面反射板（１０）などで構成される奥行き方向の厚み寸法と該筐体（２）内部の収納部寸法（内部壁面の高さ）との差で決まる厚みや形状で各構成部品が互いに密接し十分な強度が得られるように設定される。該枠組（８）は該光源（７）より内側に同平面図のようにロの字やコの字形状あるいは井桁形状（図示せず）の格子構造で形成され樹脂、紙または木質の板材で構成される。この形状とすることにより簡略な形状でありながら該筐体（２）の軸方向のスペーサとして働きながら圧縮強度が十分得られ易くかつ額縁内観がきれいにまとめられる。なお、該光源（７）は蛍光灯、ＣＣＦＬ（冷陰極管）のほか複数のＬＥＤ（発光ダイオード）などを用い該筐体（２）の少なくとも一つの内壁に設けられ、該枠組（８）のうち該光源（７）の前面で投射光が直接通過する面は透明な板とするが強度が保持できる場合は板を設けない。なお、この板を乳白色のアクリル半透明板や拡散用の粗面や凹凸面を持つガラス板で構成すると効果的な線状光源が得られる場合がある。該光源（７）に面しない枠組部分は非透明もしくは半透明な材料で構成し表面にミラーシート等反射材や反射性の塗装をほどこしその背面には電源装置や配線その他の隠蔽したい部品を収納することも可能である。また該背面板（３）の該筐体（２）側には図２のように背面反射面（１０）を設けてもよい。被照明体（９）は本装置内部の該枠組（８）内部にその前面を該前面透明板（５）と付随する該飾り縁（６）に沿って、その背面を該背面板（３）およびそれに添着される該背面反射面（１０）に沿って装着される。【０００９】図２の斜視図は該被照明体（９）が主に複数枚の被照明板（９０）から成り、それぞれを互いに層状に適宜間隔をあけて側面の枠（９１）で支える構造例を示す。該光源（７）からの入射光を上部の下向きの矢印で示す。該被照明板（９０）はガラス，アクリル、スチロールやＰＥＴ等透明ないし半透明のフィルムや板材でこの表面に図画、写真あるいは文字等図形を印刷、彫刻あるいは紙等成形品を添着して描き形成される。なお、該枠（９１）は光源光をさえぎらない位置、材質を選定して形成され該被照明板（９０）と同様な透明系の材質もしくは紙、樹脂等非透明系名材質を適宜使えるが、該被照明体（９）全体が折りたためるよう該被照明板（９０）取り付け部をヒンジ機構にしたりジャバラ状にして伸縮できるようにしたり（いずれも図示せず）してもよく、使用用途によってはこれを省略してスペーサ（図示せず）で代替させてもよい。各照明板（９０）にはたとえば前景、中景および背景等の図形をそれぞれ描いておき重畳したときもっとも立体感が得られ、かつ入射光が効果的に届くようそれぞれの間隔や図形を設定する。なお、該被照明体（９）は一個の構成体として該額縁の筐体（２）から取り外し別途のものと交換できるようにしてもよい。特に上述のように該被照明体（９）を折りたたんでカードとして用いたり、シャドーボックスや立版古（タテバンコ）状にまとめたりすることも可能である。
【図面の簡単な説明】
【００１０】
【図１】本考案に係る構造の概略平面図及び側断面図
【図２】本考案に係る構造部品である被照明体の概略斜視図
【符号の説明】
【００１１】（１）額縁前部    （２）筐体    （３）背面板    （４）留め具
（５）前面透明板    （６）飾り縁    （７）光源    （８）枠組
（９）被照明体    （１０）背面反射面    （９０）被照明板    （９１）枠
【図１】
0003167788.tif 000003
【図２】
0003167788.tif 000004